(57)【要約】【課題】本発明は、水の抵抗を利用して競泳の練習に使用可能な新たな水泳練習用具を提供できる。【解決手段】本発明は、指に対して固定するための指固定部と、前記指固定部から延設され指に固定されたときにおける該指の長手方向に対して略平行な方向に長手方向を有する板状の羽根部とを有することにより、指間に羽根部を配置させることにより、指間に人工的な水かきを形成することができるため、水の抵抗を利用して水泳の練習を行うことができる。【選択図】図２
2020124466.tif 000002
【特許請求の範囲】
【請求項１】
指に対して固定するための指固定部と、
前記指固定部から延設され指に固定されたときにおける該指の長手方向に対して略平行な方向に長手方向を有する板状の羽根部と
を有することを特徴とする水泳練習用具。
【請求項２】
前記羽根部は、
互いがほぼ平行に設けられた２枚の羽根材からなる
ことを特徴とする請求項１に記載の水泳練習用具。
【請求項３】
前記羽根部は、
一方から他方へ向けて広がる形状を有する
ことを特徴とする請求項１又は２に記載の水泳練習用具。
【請求項４】
前記羽根部は、
一方が尖り、広がった他方が角取りされた滴形状を有する
ことを特徴とする請求項１に記載の水泳練習用具。
【請求項５】
前記指固定部は、
２つのリングが組み合わされてなる
ことを特徴とする請求項１〜４のいずれかに記載の水泳練習用具。
【請求項６】
前記指固定部は、
前記羽根部に隣接する隣接位置において幅が大きく、前記羽根部と対向する対向位置において幅が小さく形成されている
ことを特徴とする請求項１に記載の水泳練習用具。
【請求項７】
前記指固定部は、
前記羽根部の一方側の端部と、前記羽根部の中心より他方側とに接続されている
ことを特徴とする請求項５に記載の水泳練習用具。
【請求項８】
前記指固定部は、
前記２つのリングが前記羽根部の反対側で繋がっている
ことを特徴とする請求項６に記載の水泳練習用具。
【請求項９】
全ての凸部及び凹部が角取りされている
ことを特徴とする請求項１に記載の水泳練習用具。
【請求項１０】
前記指固定部は、
前記羽根部の両側に、前記羽根部の平行方向へ突出するように設けられている
ことを特徴とする請求項１に記載の水泳練習用具。
【請求項１１】
前記指固定部は、
前記羽根部の平行方向の外側両端が開口している
ことを特徴とする請求項１０に記載の水泳練習用具。
【発明の詳細な説明】
【技術分野】
【０００１】
本発明は、競泳選手などが使用する水泳練習用具に適用して好適なものである。
【背景技術】
【０００２】
従来、水泳用の練習用具として、指５本分全て覆うものや、親指を除く指４本分全てを多うようにした水泳練習用パドルが知られている。かかる水泳練習用パドルでは、手の面積を大幅に増大させることにより、水を掻く際に掌に加わる水の抵抗を増大させ、腕の筋力を増強させることが可能である。
【先行技術文献】
【特許文献】
【０００３】
【特許文献１】実用新案登録第３２５０５９号
【発明の概要】
【発明が解決しようとする課題】
【０００４】
かかる構成の水泳練習用パドルでは、水の抵抗が大きくなりすぎ、水を掻くときに変な癖がついてしまうおそれがあるが、その他の特徴を持った練習用パドルが無いために競泳用の練習用具として一般的に多く使用されているのが現状である。その為、水の抵抗を利用した新たな練習用具が要望されている。
【０００５】
本発明は以上の点を考慮してなされたもので、水の抵抗を利用した新たな水泳練習用具を提供するものである。
【課題を解決するための手段】
【０００６】
かかる課題を解決するため、本発明の水泳練習用具は、指に対して固定するための指固定部と、
前記指固定部から延設され指に固定されたときにおける該指の長手方向に対して略平行な方向に長手方向を有する板状の羽根部とを有することを特徴とする。
【発明の効果】
【０００７】
本発明によれば、水の抵抗を利用した新たな水泳練習用具を実現できる。
【図面の簡単な説明】
【０００８】
【図１】第１の実施の形態における水泳練習用具（１）を示す略線図である。
【図２】第１の実施の形態における水泳練習用具（２）を示す略線図である。
【図３】第１の実施の形態における水泳練習用具の使用法（１）を説明する略線図である。
【図４】第１の実施の形態における水泳練習用具の使用法（１）を説明する略線図である。
【図５】第１の実施の形態における水泳練習用具の使用状態を説明する略線図である。
【図６】第２の実施の形態における水泳練習用具の斜視を示す略線図である。
【図７】第２の実施の形態における水泳練習用具を底面から見た略線図である。
【図８】第２の実施の形態における水泳練習用具の変形例を示す略線図である。
【図９】他の実施の形態における水泳練習用具を示す略線図である。
【発明を実施するための形態】
【０００９】
＜第１の実施の形態＞
図１は水泳練習用具１の斜視図であり、図２は水泳練習用具１を図１における上側から見た上面図である。水泳練習用具１の材質に制限は無く、公知の材料を適宜使用することができるが、例えばゴム・シリコーン系などの弾性のあるプラスチックや硬質プラスチック、金属などが特に好適に使用される。水泳練習用具１の全体が例えば金型を用いた射出成形などの手法により一体的に形成されても良く、金属などを使って複数の部材が組み合わされることにより形成されても良い。もちろん、複数種類の材料を組み合わせて使用しても良い。
【００１０】
水泳練習用具１は、羽根部２と、指固定部３とを有している。水泳練習用具１は、中心孔部３Ｒ（３ＡＲ，３ＢＲ）を有する指固定部３に指が貫通されることによりユーザの指に嵌めて使用される。
【００１１】
羽根部２は、該羽根部２の根元部分における指固定部３における接線（すなわち指固定部３の円周方向）及び中心孔部３Ｒの中心軸方向（すなわち指の貫通方向）に対して垂直に形成されており、中心孔部３Ｒに指が貫通されたときに指の長さ方向に沿って、かつ指の円周方向から垂直に突出するように配置される。
【００１２】
羽根部２は、２枚の板状部材である羽根材２Ａ，２Ｂを有している。羽根材２Ａ，２Ｂは、ほぼ同一形状でなり、一方側が細く、他方側が広がると共に該他方側が角取りされた滴形状を有している。以下、羽根材２Ａ，２Ｂにおける先の細い一方側の端部を細端部２Ｄ、広がった他方側の端部を広端部２Ｕと呼ぶ。羽根材２Ａ，２Ｂは、略平行に配置されており、略同一幅を有する平行隙間２Ｇが形成されている。
【００１３】
指固定部３は、２つのリング３Ａ，３Ｂから構成されている。リング３Ａ，３Ｂは、円環又は楕円環の一部を切り欠いた形状を有しており、リング３Ａは羽根材２Ａ，２Ｂにおける細端部２Ｄに接続される一方、リング３Ｂは羽根材２Ａ，２Ｂにおける中心から広端部２Ｕまでの間に接続されている。すなわち、リング３Ａ，３Ｂは、切り欠いた部分の先端に羽根材２Ａ，２Ｂが配置され、平行隙間２Ｇの分だけ切り欠いた部分に環隙間３Ｇが形成されている。
【００１４】
リング３Ａ，３Ｂは、切り欠いた部分と反対側（１８０°離隔した位置に）において結合し、リング結合部３Ｃを形成している。該リング結合部３Ｃにおいてリング３Ａ，３Ｂは、互いに４０〜８０°（より好ましくは５０〜７５°）程度傾斜した状態で配置されている。
【００１５】
羽根材２Ａ，２Ｂにおける広端部２Ｕは、指固定部３から全体（長さとして）の１／３〜１／４程度が突出している。また、リング３Ａ，３Ｂは、平行隙間２Ｇを有して配置された２枚の羽根材２Ａ，２Ｂに接続されていることから、平行隙間２Ｇと同じだけ円環（楕円環含む）に環隙間３Ｇを形成しており、リング３Ａ，３Ｂを変形させて指の大きさの差異を吸収することができる。
【００１６】
水泳練習用具１は、直線同士を結ぶ、いわゆる角（凹部及び凹部）の全てが角取りされており、全ての直線が曲線を介して滑らかに接続している。これにより、安全性を高めつつ不要な乱流の発生を抑制している。
【００１７】
水泳練習用具１は、指固定部３のリング３Ａ，３Ｂに指を貫通させることにより、指の根元に固定される。図３に示すように、羽根部２を指の間に平行な方向に配置することにより、指と指との間に水かきを形成することができる。このとき、２枚の羽根材２Ａ，２Ｂが隣接する指に当接して嵌め込まれると共に、平行隙間２Ｇ内に指の肉や皮を食い込ませて羽根部２をしっかりと固定することができる。
【００１８】
これにより、手の面積を増大させて水の抵抗を大きくし、掌や手首、腕の筋肉にかかる筋力を増強させるトレーニングを効果的に行うことができる。なお、羽根材２Ａ，２Ｂの面積や細端部２Ｄの広がる角度、羽根材２Ａ，２Ｂの長さ（指に平行な方向の長さ）などを変化させたり、使用する水泳練習用具１の数を調整することにより、増大させる水の抵抗を適宜調整することができる。
【００１９】
ここで、水泳競技では、主に手を使って水を掻くことにより前進する。このとき、水を直接的に掻く部分はより多くの抵抗を受けて前進力を作り出すことが好ましいいが、それ以外の部分については、前進力を阻害しないようにできるだけ抵抗を小さくすることが望ましい。指も同様であり、０．１秒レベルで前進力を確保するためには、無駄な方向への抵抗力を避けて前進力のみを作り出すことが望ましい。
【００２０】
そこで本願発明の水泳練習用具１では、図４に示すように、羽根部２を指の背からほぼ垂直に立つように配置させる。これにより、各指に背ビレがある状態となり、指が水から受ける抵抗をユーザに認識させやすくでき、各指が水から受ける抵抗を調整することが可能である。なお、図４では、細端部２Ｄを指の根元側にして使用した場合を示しているが、広端部２Ｕを指の根元側にして使用することも可能である。細端部２Ｄの向き（指の根元側又は先端側）の配置により、抵抗の大きさを調整することができる。
【００２１】
ところで、広端部２Ｕを指の根元側にしてユーザの指に嵌めた状態を示す図５のように、指の根元のＭＰ関節（図ではＭＰと表示）の位置関係から、人間の手は、手の甲側となる指の背側では直線部分が長く、掌側となる指の腹側では直線部分が短くなっている。指固定部３が側面（羽根部２の面が正面に見える角度）から見たときに全体として三角形状を有することにより、指固定部３を指の根元部分までしっかりと嵌めることができる。
【００２２】
また、羽根部２が指固定部３から突出する広端部２Ｕにおいて、指から離隔するように（すなわちリング３Ａ，３Ｂを繋ぐ直線の延長線上より内側へ入るように）羽根部２が形成されているため、ＭＰ関節の位置に拘わらず、羽根部２がＭＰ関節と接触することがなく羽根部２がＭＰ関節の動きを阻害しないようになされている。
【００２３】
＜動作及び効果＞
以下、上記した実施形態から抽出される発明群の特徴について、必要に応じて課題及び効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【００２４】
本発明の水泳練習用具（水泳練習用具１）は、指を貫通させるための中心孔部（中心孔部３Ｒ）を有する指固定部（指固定部３）と、
中心孔部において指が貫通される貫通方向（指の長手方向）に略平行な方向に、かつ指固定部から略垂直に設けられた板状の羽根部（羽根部２）とを有することを特徴とする。
【００２５】
これにより、指固定部３を指に貫通させると共に、羽根部２を指の背側から垂直に立つように配置することにより、水の抵抗を指に与えて指が水に対して不要な抵抗を受けないように（すなわち指の腹側が斜めにならず指を動かす方向に対して垂直に動くように）手の動きを調整する訓練を行うことができ、水の抵抗を利用した新たな水泳練習が可能となる。
【００２６】
水泳練習用具において、羽根部は、
互いがほぼ平行に設けられた２枚の羽根材（羽根材２Ａ，２Ｂ）からなることを特徴とする。
【００２７】
これにより、水の抵抗を増大させることができ、水泳練習の効果を増大させることができる。
【００２８】
水泳練習用具において、羽根部は、
一方から他方へ向けて広がる形状を有することを特徴とする。
【００２９】
これにより、水泳練習用具では、羽根部の細端部を根元側にして指の背から９０度傾くように、羽根部を指間に配置させることにより、羽根部をあたかも水ひれように使用することができ、水の抵抗を増大させて掌や腕の筋力アップトレーニングを行うことができる。
【００３０】
水泳練習用具において、羽根部は、
一方が尖り、広がった他方が角取りされた滴形状を有することを特徴とする。
【００３１】
これにより、水泳練習用具では、指の根元側と先端側とで羽根部の向きを変化させることにより、抵抗の受け方を変化させることができ、ユーザの状況に応じて選択して使用させることが可能となる。
【００３２】
水泳練習用具において、指固定部は、
２つのリング（リング３Ａ，３Ｂ）が組み合わされてなることを特徴とする。
【００３３】
これにより、指固定部による指への負担を軽減すると共に、ユーザごとの指の太さの差異を緩和することができる。
【００３４】
水泳練習用具において、指固定部は、
羽根部に隣接する隣接位置において幅が大きく、羽根部と対向する対向位置において幅が小さく形成されていることを特徴とする。
【００３５】
これにより、指固定部は、直線部分が長い指の背を最大限利用して、指の根元深くに指固定部を位置させることができ、指に対して水泳練習用具をしっかりと固定させることができる。
【００３６】
水泳練習用具において、指固定部は、
羽根部の一方側の端部と、羽根部の中心より他方側とに接続されていることを特徴とする。
【００３７】
これにより、指固定部は、互いに離隔した２点で羽根部をしっかりと固定することができる。
【００３８】
水泳練習用具において、指固定部は、
２つのリングが羽根部の反対側で繋がっていることを特徴とする。
【００３９】
これにより、指固定部は、指固定部としての強度を向上させ、羽根部を指にしっかりと固定させることができる。
【００４０】
水泳練習用具において、全ての凸部及び凹部が角取りされていることを特徴とする。
【００４１】
これにより、水泳練習用具としての安全性を担保すると共に、角によって生じる乱流を抑制することができる。
【００４２】
＜第２の実施の形態＞
次に、図６〜図７を用いて、第２の実施の形態を説明する。第２の実施の形態の水泳練習用具１０１においては、第１の実施の形態における水泳練習用具１に対応する箇所に１００を加算した符号を附し、同一箇所についての説明を省略する。第２の実施の形態では、指固定部を２つ有する点が上述した実施の形態と相違している。
【００４３】
図６に示すように、水泳練習用具１０１では、２つの指固定部１０３，１０４の間に２枚の羽根材１０２Ａ，１０２Ｂが設けられている。すなわち、下側が細くなる滴形状を有する２枚の羽根材１０２Ａ，１０２Ｂの両側から該羽根材１０２Ａ，１０２Ｂの面と平行な方向へ突出するように指固定部１０３，１０４が円設されている。
【００４４】
図７は水泳練習用具１０１を下側（すなわち挿入される指の根元側）からみた底面図である。なお、指固定部１０３，１０４は対称に配置されているがその構成は同一のため、以下、指固定部１０３についてのみ説明し、指固定部１０４についての説明を省略する。
【００４５】
指固定部１０３は、末端で接続する２つのリングを切って開いたような形状をしており、羽根材１０２Ａから延びる保持部材１０３Ａと、羽根材１０２Ｂがら延びる保持部材１０３Ｂとから構成されている。
【００４６】
保持部材１０３Ａ，１０３Ｂは、羽根材１０２Ａ，１０２Ｂから該羽根材１０２Ａ，１０２Ｂに対して垂直方向に緩やな曲線で突出する膨らみを有している。言い換えると、保持部材１０３Ａ，１０３Ｂは、羽根材１０２Ａ，１０２Ｂから円設された２本の棒状部材が末端で接続すると共に、三角形状を有しており、該三角形状が弧状曲線のような膨らみを有している。すなわち、保持部材１０３Ａ，１０３Ｂの間には指が挿入される中心孔部１０３Ｒが形成されていると共に、保持部材１０３Ａ，１０３Ｂの末端同士は、羽根材１０２Ａ，１０２Ｂの距離よりも大きく離隔している。
【００４７】
例えば人差し指と中指、薬指と小指というように、隣接する２本の指が中心孔部１０３Ｒ，１０４Ｒに下側から、若しくは保持部材１０３Ａ，１０３Ｂの間から挿入され、指の根元に羽根材１０２Ａ，１０２Ｂが位置するように設置される。これにより、羽根材１０２Ａ，１０２Ｂが水かきとして作用し、水泳時の負荷を向上させることができる。
【００４８】
また、保持部材１０３Ａ，１０３Ｂの末端同士が離隔して離隔空間を有することにより、下側からだけでなく、離隔空間から指を挿入でき、ユーザの利便性を向上できる。また、保持部材１０３Ａ，１０３Ｂはその弾性により指を挟む構成でなり、リングによって指を完全に固定しないため、挿入された２本の指が大きく開かれると保持部材１０３Ａ，１０３Ｂから指が外れてしまう。従って、指の形を整える訓練も同時に行うことができる。
【００４９】
また、図８に示す水泳練習用具１０１Ｘように、羽根材１０２ＸＡ，１０２ＸＢの長手方向（指の長手方向）の長さを短くすることにより負荷量を調整することが可能である。
【００５０】
以上の構成によれば、本発明の水泳練習用具（水泳練習用具１０１）は、指に対して固定するための指固定部（指固定部１０３）と、
前記指固定部から延設され指に固定されたときに指の長手方向に対して略平行な方向に長手方向を有する板状の羽根部（羽根材１０２Ａ）とを有することを特徴とする。
【００５１】
これにより、指に板状部材を固定させることができるため、板状部材を使用して水の負荷を増大させることができる。
【００５２】
また、水泳練習用具において、前記指固定部（指固定部１０３，１０４）は、前記羽根部の両側に、前記羽根部の平行方向へ突出するように設けられていることを特徴とする。
【００５３】
これにより、２本の指に対して指固定部を固定させることができ、羽根部を安定させることができる。
【００５４】
水泳練習用具において、前記指固定部は、
前記羽根部の平行方向の外側両端が開口していることを特徴とする。
【００５５】
これにより、下側からだけでなく横側から指を挿入できるため、ユーザの利便性を向上させることができると共に、開口部分のサイズが変化可能であるため、リング状の指固定部と比較してユーザの指の太さのばらつきを緩衝させることができる。
【００５６】
＜他の実施の形態＞
上述実施形態では、指固定部３がリング結合部３Ｃによって結合された２つのリング３Ａ，３Ｂによって構成されたが、本発明はこの限りではない。例えば図６（Ａ）〜（Ｃ）に示すように、幅のあるリング３Ｘ，３Ｚや、結合されていない複数（２つ又は３以上）のリング３Ｙによって構成されていても良い。
【００５７】
上述実施形態では、羽根部２が滴形状を有するようにしたが、本発明はこの限りではない。例えば図６（Ａ）〜（Ｃ）に示すように、三角形状や矩形状（四角形）などの各種多角形状や、楕円などの曲線によって形成される各種形状であっても良い。また、細端部２Ｄの広がりの角度に制限はなく、例えば１０〜６０°の任意の角度に設定することができる。角度を大きくして広がりを大きくすることにより、羽根部２を指間に配置したときに指間を大きく広げた状態にしたり、指の背に配置したときに水の抵抗を大きく感じさせたりすることができる。一方、角度を小さくすることにより羽根部２を指間に配置したときに指間を小さくした状態にしたり、指の背に配置したときに水の抵抗を小さく感じさせたりすることができる。
【００５８】
上述実施形態では、指固定部３と羽根部２とが結合して固着されたが、本発明はこの限りではない。指固定部３と羽根部２との結合方法に制限は無く、例えば図６（Ｂ）に示すように、羽根部２に形成された孔に指固定部３が貫通されることにより固定されても良い。
【００５９】
上述実施形態では、羽根部２が２枚の羽根材２Ａ，２Ｂを有するようにしたが、本発明はこの限りではない。羽根部２を構成する羽根材の枚数に制限は無く、例えば図６（Ｂ）に示すように１枚の羽根材２Ｙからなり、指に対して角度を固定するための角度固定部２Ｙａを設けても良い。角度固定部２Ｙａの形状に制限はないが、例えば指に沿うように円筒を切り取ったような湾曲した形状を有する板状部材であることが好ましい。
【００６０】
上述実施形態では、水泳練習用具１の全ての凹部及び凸部が角取りされたが、本発明はこの限りではない。必ずしも角取りを行う必要は無く、一部の凹部及び凸部のみを角取りすることも可能である。使用される材質の固さなどの特性や形状によって適宜選択することができる。
【００６１】
また、上述した第１及び第２の実施形態を適宜組み合わせるようにしても良い。例えば第１の実施の形態の指固定部を第２の実施の形態のように２つの保持部材で挟む構成にしたり、第２の実施の形態の指固定部をリングにしたりしても良い。
【００６２】
上述実施形態では、指固定部としての指固定部３と、羽根部としての羽根部２とによって水泳練習用具１を構成したが、本発明はこの限りではない。その他種々の構成による指固定部と羽根部とによって本発明の水泳練習用具を構成しても良い。
【産業上の利用可能性】
【００６３】
本発明の水泳練習用具は、競泳の練習に利用できる。
【符号の説明】
【００６４】
１，１０１：水泳練習用具、２，１０２：羽根部、２Ａ，２Ｂ，１０２ａ，１０２ｂ：羽根材、２Ｄ：細端部、２Ｇ：平行隙間、２Ｕ：広端部、２Ｙ：羽根材、２Ｙａ：角度固定部、３，１０３，１０４：指固定部、３Ａ，３Ｂ，３Ｘ，３Ｙ，３Ｚ：リング、３Ｂ：リング、３Ｃ：リング結合部、３Ｇ：環隙間、３Ｒ，１０３Ｒ，１０４Ｒ：中心孔部、１０３Ａ，１０３Ｂ，１０４Ａ，１０４Ｂ；保持部材
【図１】
2020124466.tif 000003
【図２】
2020124466.tif 000004
【図３】
2020124466.tif 000005
【図４】
2020124466.tif 000006
【図５】
2020124466.tif 000007
【図６】
2020124466.tif 000008
【図７】
2020124466.tif 000009
【図８】
2020124466.tif 000010
【図９】
2020124466.tif 000011